(57)【要約】【課題】マガジン内に装填される釘の長さに対応させた調整操作が容易に行えるようにした釘打機の釘収納用マガジンを提供する。【解決手段】渦巻き状に巻回された連結釘を支持するネイルサポート２２と、このネイルサポート２２を上下方向に沿ってスライド可能に支持するようにしたガイドポスト２５との間に、軸方向に沿って形成した移動溝２６と該移動溝２６と連続されて円周方向に向けて形成された複数の固定溝２７からなる誘導溝２８と、この誘導溝２８内に収容される係合突起２９とを形成し、ネイルサポート２２を前記固定溝２７の形成方向と同じ方向に回転付勢させることによって、前記係合突起２９を複数の固定溝２７の何れかの固定溝２７内に収容保持させる。【選択図】図３
2005111566.tif 000002
【特許請求の範囲】
【請求項１】
軸部が連結体によって互いに連結されるとともに渦巻き状に巻回された連結釘をマガジン内へ収容するとともに、該連結釘を順次ノーズ部に形成された射出口内へ供給して打撃機構によって射出口内に供給された釘を被打込材へ打ち込むようにした釘打機であって、前記マガジンが、渦巻き状に巻回された連結釘の下端を支持するサポート板と該サポート板の中心から上方へ向けて突出形成された中空状のネイルポストを備えたネイルサポートと、該ネイルサポートのネイルポストの中空内に貫挿されることによって前記ネイルサポートを上下方向に沿ってスライド可能に支持するようにしたガイドポストをマガジン内に形成して成り、前記ガイドポストの外周面とネイルポストの内周面との何れか一方側に、ネイルサポートをガイドポストの軸方向に沿って誘導案内させる移動溝と、この移動溝に連続して円周方向に向けて形成された複数の固定溝とからなる誘導溝を形成すると共に、他方側に前記誘導溝内に収容される係合突起とを形成し、前記ガイドポストに回転付勢させて設けた回転駒を前記ネイルポストの中空部内面に縦方向に形成した凹溝と係合させることによって前記ネイルサポートを回転方向に付勢させ、この回転付勢力によって前記係合突起を複数の固定溝の何れかの固定溝内に収容保持させてネイルサポートの高さ位置を可変設定するようにしたことを特徴とする釘打機の釘収納用マガジン。
【請求項２】
前記誘導溝を形成している固定溝の形成方向をマガジンに装填された連結釘が供給される際に渦巻き状に巻回された部分が回転される方向に向けて形成するとともに、ネイルサポートの回転付勢力の方向を前記固定溝と同じ方向に向けて回転付勢させるようになし、この回転付勢力によって係合突起を固定溝内へ収容維持させるようにしたことを特徴とする請求項１に記載の釘打機の釘収納用マガジン。
【発明の詳細な説明】
【技術分野】
【０００１】
本発明は、軸部が可撓性を有した連結体によって互いに連結されるとともに渦巻き状に巻回された連結釘を打出部へ順次供給して、打出部に供給された先頭の釘を射出から被打込材へ向けて打ち出すようにした釘打機に関し、特に、釘長さの異なった多種の連結釘を何れも収容できるように上記釘打機に装備された釘打機の釘収納用マガジンに関する。
【背景技術】
【０００２】
例えば圧縮空気を動力源として駆動される打撃機構によって釘を被打込材へ連続的に打ち込むようにした釘打機では、打撃シリンダとこの打撃シリンダ内に収容された打撃ピストンからなる打撃機構が収容されているハウジングの下部に、釘を打ち込み案内する中空状の射出口を形成しているノーズ部が結合されており、射出口内へ供給された釘を打撃機構によって被打込材へ向けて射出口から打ち出すようにしている。ハウジングの後方側には釘打機を把持するためのグリップ部が一体に形成されており、このグリップ部の下方に多数の釘を収容するためのマガジンが形成されている。
【０００３】
この種の釘打機で使用する釘は、金属線や合成樹脂片等の可撓性を有した連結体によって隣接した釘の軸部同士が互いに連結されて連結釘が形成され、この長尺に連結された連結釘を渦巻き状に巻回して前記マガジン内へ収容できるようにしている。前記マガジンにはほぼ円筒状の連結釘収容部が形成されており、この収容部内に渦巻き状に巻回された連結釘を支持するようにしたネイルサポートが配置されている。ネイルサポートには連結釘の下端を支持するサポート板と該サポート板の中心から上方へ向けて突出させた連結釘の中心を支持するようにしたネイルポストとが形成されており、このネイルサポート上に載置されてマガジン内に収容された連結釘がマガジンから引き出されて、先頭の釘が前記ノーズ部の射出口へ供給されて前記打撃機構によって射出口から打ち出されるようにされている。
【０００４】
ところで、連結釘は施工箇所に応じて釘長さの異なった数種類が準備されており、これらの長さの異なった他種類の連結釘を使用するようにした釘打機のマガジンでは、マガジンから引き出されるときの釘の頭部の位置が一定の高さ位置となるようにマガジン内に収容されている連結釘の高さ位置を調整する調整機構が形成されている。従来の釘打機のマガジンでは、連結釘を支持するネイルサポートをマガジン内で上下方向にスライド可能に配置させるとともに、このネイルサポートを下方向に向けてバネ付勢させ、ネイルサポートのサポート板の外周縁をマガジンの収容部の内壁面に形成した階段状の段部に選択的に係合させることによって、ネイルサポートの位置を段階的に調整させるようにしている。
【特許文献１】実開昭５７−１００４７５号公報
【発明の開示】
【発明が解決しようとする課題】
【０００５】
上記従来のマガジンでは、ネイルサポートを引っ張りバネで下方向へ付勢させて、この付勢力によってサポート板の外周縁に形成した係合片を収容部の内壁面に形成した係合段部と係合させて、調整位置を維持させるようにしているので、調整操作するときにはバネの引っ張り力に抗してネイルサポートを上下方向へ移動させるとともに回転操作する必要があるため調整操作がやりにくい。特に短い釘の連結釘をマガジンへ収容するためにネイルサポートを上方位置へ移動させる際にはネイルサポートに作用している引っ張りバネの張力が大きくなって調整操作が行い難くなってしまうという問題があった。また、サポート板に形成した係合片が収容部の内壁面に形成された係合段部から逸脱するのを防止するために、複数の段部間に突起が形成されており、不用意に調整操作を行うことによってこれらの突起を破損させてしまうことがあり、ネイルサポートを所定の調整位置へ保持できなくなるという問題もあった。
【０００６】
本発明は、上記従来技術における問題点を解消して、装填される釘の長さに対応させた調整操作が容易に行えるようにした釘打機の釘収納用マガジンを提供することを課題とするものである。
【課題を解決するための手段】
【０００７】
上記課題を解決するため本発明の釘打機の釘収納用マガジンは、軸部が連結体によって互いに連結されるとともに渦巻き状に巻回された連結釘をマガジン内へ収容するとともに、該連結釘を順次ノーズ部に形成された射出口内へ供給して打撃機構によって射出口内に供給された釘を被打込材へ打ち込むようにした釘打機であって、前記マガジンが、渦巻き状に巻回された連結釘の下端を支持するサポート板と該サポート板の中心から上方へ向けて突出形成された中空状のネイルポストを備えたネイルサポートと、該ネイルサポートのネイルポストの中空内に貫挿されることによって前記ネイルサポートを上下方向に沿ってスライド可能に支持するようにしたガイドポストをマガジン内に形成して成り、前記ガイドポストの外周面とネイルポストの内周面との何れか一方側に、ネイルサポートをガイドポストの軸方向に沿って誘導案内させる移動溝と、この移動溝に連続して円周方向に向けて形成された複数の固定溝とからなる誘導溝を形成すると共に、他方側に前記誘導溝内に収容される係合突起とを形成し、前記ガイドポストに回転付勢させて設けた回転駒を前記ネイルポストの中空部内面に縦方向に形成した凹溝と係合させることによって前記ネイルサポートを回転方向に付勢させ、この回転付勢力によって前記係合突起を複数の固定溝の何れかの固定溝内に収容保持させてネイルサポートの高さ位置を可変設定するようにしたことを特徴とする。
【０００８】
また、請求項２の発明は、前記誘導溝を形成している固定溝の形成方向をマガジンに装填された連結釘が供給される際に渦巻き状に巻回された部分が回転される方向に向けて形成するとともに、ネイルサポートの回転付勢力の方向を前記固定溝と同じ方向に向けて回転付勢させるようになし、この回転付勢力によって係合突起を固定溝内へ収容維持させるようにしたことを特徴とする。
【発明の効果】
【０００９】
本発明の釘打機の釘収納用マガジンによれば、渦巻き状に巻回された連結釘の下端を支持するサポート板と該サポート板の中心から上方へ向けて中空状のネイルポストが突出形成されたネイルサポートと、前記ネイルポストの中空部が貫挿されることによって前記ネイルサポートを上下方向に沿ってスライド可能に支持するようにしたガイドポストをマガジン内に形成して成り、前記ガイドポストの外周面とネイルポストの内周面との何れか一方側に、ネイルサポートをガイドポストの軸方向に沿って誘導案内させる移動溝と、この移動溝に連続して円周方向に向けて形成された複数の固定溝とからなる誘導溝を形成すると共に、他方側に前記誘導溝内に収容される係合突起とを形成しているので、ネイルサポートには調整移動方向への付勢力が作用されていないので、調整操作、特に最短の釘用に調整するときのネイルサポートを最上方位置へ移動させる操作が楽に行える。
【００１０】
また、ガイドポストに回転付勢させて設けた回転駒を前記ネイルポストの中空部内面に縦方向に形成した凹溝と係合させることによって前記ネイルサポートを回転方向に付勢させ、この回転付勢力によって前記係合突起を複数の固定溝の何れかの固定溝内に収容保持させるようにしているので、ネイルサポートの高さ位置を可変設定するようにしているので、固定溝と移動溝の間に移動防止用の突起を形成しなくても、係合突起が移動溝側へ移動してしまって調整位置がずれてしまうことがない。
【００１１】
また、請求項２の発明では、固定溝の方向をマガジンに装填された連結釘が供給される際に渦巻き状に巻回された部分が回転される方向に向けて形成するとともに、ネイルサポートの回転付勢力の方向を前記固定溝と同じ方向に向けて回転付勢させているので、固定溝と移動溝の間に係合突起の移動を防止するため突起を形成しなくても、釘送り作動により回転する連結釘によってネイルサポートが回転して、係合突起が移動溝側へ移動してしまってネイルサポートの調整位置がずれてしまうことがない。
【発明を実施するための最良の形態】
【００１２】
マガジン内に装填される釘の長さに対応させた調整操作が容易に行えるようにするという目的を、渦巻き状に巻回された連結釘を支持するネイルサポートと、このネイルサポートを上下方向に沿ってスライド可能に支持するようにしたガイドポストとの間に、軸方向に沿って形成した移動溝と該移動溝と連続されて円周方向に向けて形成された複数の固定溝からなる誘導溝と、この誘導溝内に収容される係合突起とを形成し、ネイルサポートを前記固定溝の形成方向と同じ方向に回転付勢させることによって、前記係合突起を複数の固定溝の何れかの固定溝内に収容保持させるようにすることで達成した。
【実施例１】
【００１３】
以下、図面に基づいて本発明の実施例を説明する。図１は本発明の実施例にかかる渦巻き状に巻回された連結釘を収容するようにしたマガジンを備えた圧縮空気によって駆動される釘打機を示すもので、釘打機１０はグリップ部１１が一体に形成されたハウジング１２を有しており、該ハウジング１２の下部には釘を被打込材へ向けて打ち出し案内する中空状の射出口が形成されたノーズ部１３が取り付けられている。また、前記ハウジング１２内には、打撃シリンダとこの打撃シリンダ内に摺動自在に収容された打撃ピストンからなる打撃機構が形成されており、打撃シリンダ内に圧縮空気を供給することにより打撃ピストンを駆動して打撃ピストンの下面側に一体に結合したドライバを駆動させるようにされている。前記ドライバはノーズ部１３の中空状の射出口内を駆動されて射出口内に供給された釘を打撃して射出口内から打ち出すようにされている。
【００１４】
射出口を形成している前記ノーズ部１３の後方側には連結釘を前記射出口内へ案内させる釘供給ガイド１４が一体に形成されており、この釘供給ガイド１４に沿って供給される釘を前記開口を介して射出口内へ供給できるようにされている。この釘打機１０で使用する釘は、軸部同士が金属線材またはプラスチック製の帯片等の可撓性の連結体によって互いに連結された連結釘として形成されており、前記釘供給ガイド１４のガイド面には釘供給ガイド面に沿って往復駆動する釘供給機構が形成されており、この釘供給機構が釘供給ガイド１４に沿って案内されている連結釘の各釘に係合して釘供給機構が射出口の方向に駆動することによって連結釘の先頭の釘がノーズ部１３の射出口内へ供給されるようにされている。
【００１５】
前記釘供給ガイド１４の後端には、前記連結釘を収容するほぼ円筒形の釘収容部１６を形成しているマガジン１５が連設されており、長尺の連結釘を渦巻き状に巻回した連結釘がこのマガジン１５内に収容されて、該マガジン１５から引き出された連結釘が前記釘供給ガイド１４に沿ってノーズ部１３の射出口内へ供給されるようにされている。なお、この実施例における連結釘は、渦巻き状に巻回した連結釘の上面の中心部が上方へ膨出された円錐形状に形成されており、この連結釘を収容するマガジン１５の釘収容部１６の形状も上壁部の中心部が上方へ向けて膨出された形状に形成されている。
【００１６】
図２に示すように、前記マガジン１５は、上壁が円錐形状に形成された円筒を垂直な面で２分割して一方をマガジン本体１７として他方をマガジンキャップ１８として形成するとともに、前記マガジン本体１７を釘打機１０の前記グリップ部１１と釘供給ガイド１４との間に取り付け、マガジンキャップ１８を前記マガジン本体１７の側壁にヒンジ部１９を介して開閉可能に取り付けて構成している。マガジンキャップ１８が閉じられている状態でほぼ円筒形状の釘収容部１６が形成され、マガジンキャップ１８をマガジン本体１７に対して開放することによってマガジン本体１７の側面部が開放されて連結釘を釘収容部１６内へ装填できるようにしている。
【００１７】
前記マガジン本体１７に形成されている円盤状の底壁２０上には、底壁２０に対して側面方向にスライド可能に支持された連結釘支持部２１が形成されており、マガジンキャップ１８をマガジン本体１７に対して開放することによって前記連結釘支持部２１がマガジン本体１７の底壁２０に沿ってマガジン本体１７の開放方向へ移動できるようにされている。この連結釘支持部２１には、マガジン１５の釘収容部１６内で渦巻き状に巻回された連結釘を回転自在に支持するネイルサポート２２が支持されており、マガジンキャップ１８を開放して連結釘支持部２１を側面方向にスライド移動させることによってネイルサポート２２をとマガジン本体１７の開放方向へ移動させてグリップ部１１に邪魔されることなく連結釘をネイルサポート２２上へ装填できるようにされている。
【００１８】
図３〜図４に示すように、前記ネイルサポート２２は、渦巻き状に巻回された連結釘の下端を支持するように円盤状に形成されたサポート板２３と、このサポート板２３の中心部から上方へ向けて突出形成されている中空状のネイルポスト２４により形成されており、前記ネイルポスト２４が渦巻き状に巻回されている連結釘の中心開口部内に挿入されて連結釘を回転自在に支持するようにしている。また、前記連結釘支持部２１には上方に向けて突出されたガイドポスト２５が形成されており、このガイドポスト２５が前記ネイルポスト２４の中空内に嵌合されることによってネイルサポート２２が連結釘支持部２１に対してガイドポスト２５に沿って摺動可能に支持されている。
【００１９】
前記ガイドポスト２５の外周面には、ガイドポスト２５の軸方向に沿って形成された移動溝２６とこの移動溝２６と連続して円周方向に向けて形成された複数の固定溝２７とからなる誘導溝２８が形成されており、一方前記ネイルサポート２２の中空状のネイルポスト２４の内周面には前記誘導溝２８内に収容されるように中空内に突出させられた係合突起２９が形成されており、この係合突起２９が前記誘導溝２８の移動溝２６内に配置されることによってネイルサポート２２がガイドポスト２５の軸方向に沿って移動でき、また、係合突起２８が前記誘導溝２８のガイドポストの長手方向に沿って複数形成されている任意の固定溝２７内に収容されることによってネイルサポート２２の高さ位置が固定されるようにされている。
【００２０】
前記ガイドポスト２５の外周面にガイドポスト２５の長手方向に沿って形成されている複数の固定溝２７は、マガジン１５へ装填される連結釘の釘長さに対応して各固定溝２７の位置が設定されており、マガジン１５へ装填される釘の長さに応じてネイルサポート２２の高さ位置を設定できるようにされており、これによってネイルサポート２２によって支持された連結釘の頭部の位置が一定の高さ位置となるようにされている。前記移動溝２６の上端はガイドポスト２５の上端方向に開放された開放部２６ａが形成されており、ネイルサポート２２のネイルポスト２４の中空内に形成された係合突起２９を、このガイドポスト２５の上端の開放部２６ａから移動溝２６内へ収容させるようにされている。
【００２１】
前記ガイドポスト２５の上端には凹部３０が形成されており、この凹部３０内に収容した捩りコイルバネ３１によって回動付勢された回転駒３２がガイドポスト２５の上端に回動軸３３によって回動可能に取り付けられている。この回転駒３２には外周方向に突出された突出部３４が形成されており、この突出部３４が前記中空のネイルポスト２４の内壁面にネイルポスト２４の軸方向に沿って形成されている凹溝３５内に収容されて、ネイルポスト２４を回転駒３２に対して摺動可能にさせるとともに、ネイルサポート２２に回転付勢力を付与させるようにしている。これによってネイルサポート２２はガイドポスト２５の軸方向に沿ったどの位置においても前記回転駒３２を介して回転付勢されており、係合突起２９が固定溝２７内に配置された時には係合突起２９を固定溝２７内に安定して収容維持させるように作用する。また、ネイルサポート２２に対して軸方向への付勢力は全く発生していないので、係合突起２９を移動溝２６内に配置させてネイルサポート２２を軸方向に移動させる操作を容易に行うことができる。
【００２２】
前記ガイドポスト２５の移動溝２６とこれと連続された複数の固定溝２７からなる誘導溝２８はガイドポスト２５の円周方向に沿って１８０度回転した対称位置に形成されており、更に、この誘導溝２８内に収容される係合突起２９もネイルポスト２４の中空内に円周方向に１８０度回転した対称位置に形成されている。これによって、ガイドポスト２５の中心から対称的な２カ所で係合突起２９と固定溝２７とが安定して係合されて、ネイルサポート２２を安定した状態で位置決めできるようにしている。また、ガイドポスト２５の外周面に形成した移動溝２６に対しての固定溝２７の形成方向が、ネイルサポート２２に支持されてマガジン１５に収容されている連結釘が釘の打出部へ供給される際に渦巻き状の巻回部が回転される方向と同じ方向に向けて形成されており、釘の供給に伴って回転される連結釘によってネイルサポート２２が回転力を受けても係合突起２９が固定溝２７から逸脱されることがないようにしている。前記ネイルポスト２４の上端にはキャップ２２ａが装着されてネイルポスト２４の中空部の上端が閉鎖されている。
【００２３】
上記実施例のマガジン１５において、異なった長さの連結釘を収容するためにネイルサポート２２の設定位置を調整するには、ネイルサポート２２のネイルポスト２４を把持して、前記捩りコイルバネ３１による回転付勢力に抗してネイルサポート２２を回転させる。これによってネイルポスト２４の内周面に形成されている係合突起２９が図６（ａ）に示すように固定溝２７に配置された位置から、図６（ｂ）に示すように係合突起２９が縦方向に沿って形成されている移動溝２６内に配置され、この状態でネイルサポート２２がガイドポスト２５に対して上下方向へ移動できる状態とされる。このときネイルサポート２２自体には回転方向以外の付勢力は作用していないので、装填される釘の長さに対応した位置へ自由にスライドさせて移動させることが可能である。
【００２４】
任意の位置へスライド移動させたネイルサポート２２から手を離すことにより、ネイルサポート２２は捩りコイルバネ３１によって回転付勢されている回転駒３２を介してネイルサポート２２に付加されている回転付勢力により回転して、図６（ａ）に示すように、ネイルサポート２２の係合突起２９がガイドポスト２５の任意の固定溝２７内に配置されて、図７に示すようにネイルサポート２２の高さ位置が変更設定される。ネイルサポート２２には回転駒３２を介して回転方向の付勢力が継続して作用されているので、係合突起２９が固定溝２７内に安定して保持される。なお、図３に示すように、固定溝２７が移動溝２６と接続されている部分には傾斜面が形成されており、ネイルサポート２２のスライド位置が多少ずれた場合でも係合突起２９を固定溝２７誘導させるようにしている。
【産業上の利用可能性】
【００２５】
上記実施例ではガイドポスト２５の外周面に移動溝２６と固定溝２７からなる誘導溝２８を形成して、中空状のネイルポスト２４の内周面に前記誘導溝２８内に収容される係合突起２９を形成しているが、中空状のネイルポスト２４の中空の内周壁面に凹溝を形成して、ガイドポスト２５の外周面に前記凹溝内に収容される係合突起を形成させても良い。
【図面の簡単な説明】
【００２６】
【図１】本発明の実施例にかかる釘打機の側面図
【図２】図１の釘打機に実施されているマガジンの斜視図
【図３】図２と同じマガジンの連結釘支持部を構成している部材を示す斜視図
【図４】図２と同じマガジンの連結釘支持部の断面図
【図５】図４におけるＡ−Ａ線上の断面図
【図６】図４におけるＢ−Ｂ線上の断面図であり、（ａ）係合突起を固定溝内に配置させた状態と、（ｂ）係合突起を移動溝内に配置した状態を示す
【図７】ネイルサポートの係合突起を異なった固定溝と係合させた状態を示す図４と同様の断面図
【符号の説明】
【００２７】
１０  釘打機
１５  マガジン
２１  連結釘支持部
２２  ネイルサポート
２３  サポート板
２４  ネイルポスト
２５  ガイドポスト
２６  移動溝
２７  固定溝
２８  誘導溝
３１  捩りコイルバネ
３２  回転駒
【図１】
2005111566.tif 000003
【図２】
2005111566.tif 000004
【図３】
2005111566.tif 000005
【図４】
2005111566.tif 000006
【図５】
2005111566.tif 000007
【図６】
2005111566.tif 000008
【図７】
2005111566.tif 000009